(57)【要約】【課題】放熱性能を向上するとともに外部より内部を視認可能にする。【解決手段】ケース４２が前枠３の裏面に取付けられ、回路基板４１に実装された交直変換部品から発生した熱が放熱板４５を経由して電源装置４０の外部に放出されると共に電源装置４０の外部から放熱板４５の多孔及び内部を経由して外部に流れる気流によって電源装置４０の外部に放出されて、電源装置４０の放熱性能が向上し、ケース４２が透視性の有る合成樹脂により形成されたかまたは透視性の有る合成樹脂からなる蓋の成された開口部を備えて、電源装置４０の外部より内部が視認可能になる。【選択図】図２
2007111570.tif 000002
【特許請求の範囲】
【請求項１】
電源装置が交直変換部品の実装された回路基板と多孔を有するケースと回路基板上の交直変換部品から熱伝達される放熱板とを備え、放熱板がケースの一部を形成するようにケースに組合されて部品収納室を形成すると共に前枠の少なくとも上方に向けられ、ケースが前枠の裏面に取付けられるとともに透視性の有る合成樹脂により形成されたかまたは透視性の有る合成樹脂からなる蓋の成された開口部を備えたことを特徴とするパチンコ機。
【発明の詳細な説明】
【技術分野】
【０００１】
本発明は、電源装置の設置性能向上と放熱性能向上とが両立できるパチンコ機に関する。
【背景技術】
【０００２】
特開平６−４７１５６号公報では、パチンコ機の裏側において、制御回路とは別の場所に電源装置を取付け、電源装置が島トランスと呼ばれるパチンコ店の島設備に設けられた島側トランスより供給されたＡＣ２４ボルトのような交流をＤＣ５ボルト、ＤＣ１２ボルト、ＤＣ２４ボルト、ＤＣ３０ボルト等の複数の直流電圧に変換して必要とする制御回路に供給するパチンコ機の構造が開示されている。
【特許文献１】特開平６−４７１５６号公報
【発明の開示】
【発明が解決しようとする課題】
【０００３】
例えば、不正防止や公安委員会の検査容易等の観点から、パチンコ機に搭載される制御回路が主制御、図柄制御、表示灯制御、音声制御、賞球払出制御、発射制御等の機能別に分割された場合、又は、パチンコ機に搭載される電気部品が多くなる場合、電源装置が変換する電力量が多くなり、電源装置が大型化すると共に多量の熱を発生する可能性がある。
【課題を解決するための手段】
【０００４】
本発明に係るパチンコ機は、電源装置が交直変換部品の実装された回路基板と多孔を有するケースと回路基板上の交直変換部品から熱伝達される放熱板とを備え、放熱板がケースの一部を形成するようにケースに組合されて部品収納室を形成すると共に前枠の少なくとも上方に向けられ、ケースが前枠の裏面に取付けられるとともに透視性の有る合成樹脂により形成されたかまたは透視性の有る合成樹脂からなる蓋の成された開口部を備えたことを最も主要な特徴とする。
【発明の効果】
【０００５】
本発明に係るパチンコ機は、交直変換部品から発生した熱が放熱板を経由して電源装置の外部に放出されると共に電源装置の外部から多孔及び内部を経由して外部に流れる気流によって電源装置の外部に放出され、電源装置の放熱性能を向上することができ、ケースが透視性の有る合成樹脂により形成されたかまたは透視性の有る合成樹脂からなる蓋の成された開口部を備えたことによって電源装置の外部より内部が視認可能になり、ケースが前枠の裏面に取付けられたことによって電源装置の設置性能を向上することができ、放熱板が前枠の少なくとも上方に向けられたことによって外部から部品収納室内への塵侵入を遮断し、塵が部品収納室に入りにくいという利点がある。
【発明を実施するための最良の形態】
【０００６】
図１乃至図６は、発明を実施するための最良の形態である。図１はパチンコ機の本体枠１と電源装置４０とを分解した外観を示し、図２は本体枠１と電源装置４０との取付構造の断面を示し、図３は電源装置４０を分解した外観を示し、図４は電源装置４０のケースカバー４４の図３とは異なる方向の外観を示し、図５は電源装置４０の組立てられた外観を示し、図６は電源装置４０の組立てられた図５とは異なる方向の外観を示す。図３の中継ユニット８０は図３以外の全図において図示を省略されている。
【０００７】
図１を参照し、パチンコ機について説明する。本体枠１は図外のゲージ盤と通称される遊技盤をパチンコ店の島に交換可能に取付けるための額縁状の部材である。本体枠１では、パチンコ店の島に固定される外枠２に、遊技盤を取付けるための前枠３を、上下の枠ヒンジ４，５により前方横方向に片開き可能に取付けてある。前枠３の裏面下部中には流しユニット６を有する。流しユニット６は前枠３の前面側に設けられた図外の上皿に入りきれない賞球を前枠３の前面側に設けられた図外の下皿に誘導する部材である。前枠３の裏面には鋼板のような導電部材であるリアプレート１０を備える。リアプレート１０は、前枠３と類似形であるが、前枠３より縦幅が小さく、前枠３の上側に寄せられ、リアプレート１０の膨出部１１の周縁に設けられたリアフランジ部１２が前枠３の裏面に図外の止ねじにより取付けられることにより、膨出部１１と前枠３とにより囲まれた盤収納室Ｂ（図２参照）を形成する。盤収容室Ｂには遊技盤が格納される。膨出部１１の裏壁には、遊技盤の裏面に実装された部品を避ける窓１３、アウト球中継口１４、発射戻球中継口１５、賞球ガイド逃げ口１６、スピーカ音放出口１７が形成される。スピーカ音放出口１７は金属製の穴あき板１８により蓋をされる。穴あき板１８にあけられた多数の図外の小孔はスピーカ音をリアプレートの裏側に放出すると共にピアノ線と呼ばれるような不正操作部材の通過を遮断する。
【０００８】
膨出部１１の裏壁にはねじ孔である複数の電源取付孔部１９，２０がアウト球中継口１４よりも下部に形成される。リアプレート１０より下方に突出する前枠３の下部裏面には、電源ステー２１が、図外の止ねじにより電源取付孔部１９，２０の真下で、かつ、流しユニット６の一側方に、取付けられる。電源ステー２１は、前枠３に止ねじにより取付けられるブラケット部２２と、ブラケット部２２より後方へ水平に曲折形成された横片部２３と、横片部２３より下方に曲折形成された縦片部２４と、縦片部２４より後方へ水平に曲折形成された受片部２５と、横片部２３と縦片部２４との角部にあけられた係合孔部２６，２７と、を備える。そして、電源装置４０は電源取付孔部１９，２０と電源ステー２１とを介してリアプレート１０と前枠３とにわたりに取付けられる（図２参照）。
【０００９】
前枠３の自由端側に位置するリアプレート１０の一側部には、前枠３を外枠２にロック・アンロックするロック機構３０が組付けられる。そして、前枠３が閉じられることにより、ロック機構３０の上下のロックレバー３１，３２が外枠２の内部一側に設けられた上下の止具３３，３４に接触して下方に回転する。引続き、ロックレバー３１，３２が止具３３，３４を超えることにより、ロックレバー３１，３２がロック機構３０に内蔵されたばね力で元の位置に戻り止具３３，３４に係合する。これにより、ロック機構３０は前枠３を外枠２に開閉不能にロックする。その状態において、図外のキープレートが人為操作で前枠３の前側より施錠装置３５に差込まれて一方向に回転操作されると、施錠装置３５がロック機構３０のロックレバー３１，３２を下方に回転し止具３３，３４より外す。これにより、ロック機構３０は前枠３を外枠２に開閉可能にアンロックする。その状態のまま、前枠３が人為操作で前側に引かれることにより、前枠３が枠ヒンジ４，５を中心として片開きされる。
【００１０】
図３を参照し、電源装置４０について説明する。電源装置４０は、交流を直流に変換するための交直変換部品の実装された回路基板４１と、鋼板のような導電性を有するケース４２と、回路基板４１上の交直変換部品から伝達された熱を放出するアルミニウム製の放熱板４５とを、備える。ケース４２は、方形状のケースベース４３と、ケースベース４３より幅ＬＹが小さい方形状のケースカバー４４とにより、分別構成される。
【００１１】
回路基板４１は裏面に図外のプリント配線を有するプリント配線基板の形態であって、ケースベース４３と略同じ大きさに形成されると共に複数の貫通孔４１１１，４１１２，４１１３を有する。回路基板４１は、上面に交直変換部品の大部分を挿入実装し、残る交直変換部品を裏面に面実装している。回路基板４１がケースベース４３の基板スペーサ部４３２４〜４３２８と基板支持部４３３０及び搭載部４３３２，４３３４に載せられてケースベース４３に収納されることにより、貫通孔４１１１〜４１１３は基板支持部４３３０のねじ孔４３２９及び搭載部４３３２，４３３４のねじ孔４３３１，４３３３と位置が対応する。
【００１２】
上記挿入実装の交直変換部品の回路基板４１への配置では、大まかには、トランス６０、大容量のコンデンサ６１、ブリッジ接続された４つのダイオードを内蔵した整流器６２、並列接続された２つのダイオードを内蔵した逆流阻止部品６３、スイッチングダイオード６５、トランジスタ６４等の比較的多量の熱を発生する発熱部品が放熱板４５寄りに配置される。整流器６２、逆流阻止部品６３、スイッチングダイオード６５、トランジスタ６４等は、それらの発熱部品を取付けるための屈曲状の押え部材のばね力により放熱板４５に接触している。入力側コネクタ６６、出力側コネクタ６７、電源装置４０から電力供給を受ける需要側部品（例えば制御回路）へのヒューズ６８，６９等の部品が放熱板４５の存在しない一側部に配置される。これら入力側コネクタ６６、出力側コネクタ６７、ヒューズ６８，６９等の部品が配置された回路基板４１の一側部はケースカバー４４より外側に突出される。ヒューズ６８，６９にはヒューズカバー７０，７１が被せられる。ヒューズカバー７０，７１は、透明と通称される外部より内部を見ることが可能な透視性の有るシリコンのように可撓性の有る合成樹脂により、両端が閉鎖された半割筒状である。
【００１３】
ケースベース４３は、方形状の底板部４３１１の３つの互いに隣接する周縁より曲折形成されて立上があるフランジ部４３１２，４３１３，４３１４と、底板部４３１１の残る１つの周縁よりフランジ部４３１２〜４３１４と同方向に並行するように曲折形成された放熱板受部４３１５とを、有する。放熱板受部４３１５はフランジ部４３１２〜４３１４よりも背高である。放熱板受部４３１５には貫通孔４３１６，４３１７があけられている。放熱板受部４３１５の両側には左右のフランジ部４３１３，４３１４より底板部４３１１の周縁に沿うように曲折形成された閉片部４３１８，４３１９が配置される。閉片部４３１８，４３１９が位置する底板部４３１１の周縁には、貫通孔４３２０のあけられた装置取付部４３２１と、貫通孔３４２２のあけられた装置取付部４３２３とが、外部に突出形成される（図２参照）。
【００１４】
フランジ部４３１２，４３１３及び放熱板受部４３１５には基板スペーサ部４３２４，４３２５，４３２６，４３２７，４３２８が内側に湾曲状に突出形成される。底板部４３１１にはねじ孔４３２９のあけられた基板支持部４３３０が立設される。フランジ部４３１３にはねじ孔４３３１のあけられた搭載部４３３２が内側に曲折形成される。フランジ部４３１４にはねじ孔４３３３のあけられた搭載部４３３４が内側に曲折形成される。搭載部４３３２，４３３４はフランジ部４３１２寄りに位置する。基板スペーサ部４３２４〜４３２８の上面と基板支持部４３３０の上面及び搭載部４３３２，４３３４の上面は、底板部４３１１からの高さが同一である。底板部４３１１には複数のステー係合部４３３５，４３３６，４３３７がフランジ部４３１２側に位置して外部に突出形成される。ステー係合部４３３５〜４３３７は放熱板受部４３１５よりフランジ部４３１２側に向けてＬ字形に切起されている（図２参照）。
【００１５】
ケースカバー４４はケースベース４３の底板部４３１１より幅ＬＹの狭い方形状の天板部４４１１の短縁と長縁とよりなる２つの互いに隣接する周縁より曲折形成されて立下がる側壁部４４１２，４４１３を有する。天板部４４１１及び側壁部４４１２，４４１３には多数の小径な空気流通孔４４１４，４４１５，４４１６があけられている。仮想線Ｌ１で囲まれた内部が天板部４４１１の空気流通孔４４１４があけられた有孔領域、仮想線Ｌ２で囲まれた内部が側壁部４４１２の空気流通孔４４１５があけれた有孔領域、仮想線Ｌ３で囲まれた内部が側壁部４４１３の空気流通孔４４１６があけられた有孔領域である。無孔領域４４１７にはねじ孔である複数のユニット取付孔部４４１８，４４１９が形成される。ケースベース４３とケースカバー４４とが組合される際に放熱板受部４３１５と対応する側に位置する側壁部４４１２の下縁には、貫通孔４４２０のあけられたＬ字形の脚部４４２１が外側に突出するように曲折形成される。
【００１６】
図４に示すように、天板部４４１１の残る２つの互いに隣接する周縁にはリブ４４２２，４４２３が側壁部４４１２，４４１３と同方向に並行するように曲折形成される。側壁部４４１２と対向するリブ４４２２の両端部にはＬ字形の放熱板第１係合部４４２４，４４２５が下方に突出形成される。側壁部４４１２のリブ４４２３側端にはコ字形の放熱板第２係合部４４２６が内側に向けて側壁部４４１３と並行するように曲折形成される。
【００１７】
図３に戻り、放熱板４５は帯板を回路基板４１の長縁と短縁とよりなる２つの隣接する周縁に沿うＬ字形に曲折形成された形態であって、基板取付脚部４５１１，４５１２とカバー第１係合部４５１３，４５１４及びカバー第２係合部４５１５を備える。基板取付脚部４５１１，４５１２は少なくとも放熱板４５の長片部における一端回路基板側縁及び放熱板４５の短片部における一端回路基板側縁より内側に曲折形成される。放熱板４５の長片部にはねじ孔であるベース取付孔部４５１６，４５１７があけられている。
【００１８】
そして、基板取付脚部４５１１，４５１２が回路基板４１の上面に載せられ、回路基板４１の裏側より止ねじ４６，４７が基板取付脚部４５１１，４５１２に締結されることにより、放熱板４５が回路基板４１に取付られる。その状態において、止ねじ４６，４７は回路基板４１の図外のプリント配線中のアース配線に半田付けされる。この半田付けは回路基板４１への交直変換部品の挿入実装による半田付け作業と別に行うことも可能であるが、上記挿入実装による半田付けと一緒に行えば作業上好適である。上記アース配線は貫通孔４１１１〜４１１３周りの回路基板４１裏面にも設けられる。
【００１９】
カバー第１係合部４５１３，４５１４は放熱板４５の長片部の上縁より内側にＬ字形に曲折形成される。カバー第２係合部４５１５は放熱板４５の短片部の端縁より舌状に内側に曲折形成される。そして、ケースカバー４４が矢印Ｘ方向に移動されることにより、カバー第１係合部４５１３，４５１４と放熱板第１係合部４４２４，４４２５とが係合し、カバー第２係合部４５１５と放熱板第２係合部４４２６とが係合する。
【００２０】
中継ユニット８０は、透視性の有る合成樹脂からなる密封箱型のケースに図外の回路基板を内蔵し、ケースの上面にスナップスイッチ８１、中継用コネクタ８２，８３，８４を固定し、ケースの両端部に貫通孔８５，８６を備える。そして、止ねじ８７，８８が貫通孔８５，８６よりケースカバー４４のユニット取付け孔部４４１８，４４１９に締結されることにより、中継ユニット８０はケースカバー４４の無孔領域４４１７に取付けられる。
【００２１】
前記電源装置４０の組立について説明する。図３に示すように、放熱板４５と交直変換部品とが実装された回路基板４１がケースベース４３の上に収納される。その状態においては、回路基板４１がケースベース４３の基板スペーサ部４３２４〜４３２８と基板支持部４３３０及び搭載部４３３２，４３３４に載っている。これにより、回路基板４１とケースベース４３の底板部４３１１との間に図２の所定空間Ｄ１が形成される。この所定空間Ｄ１により、回路基板４１の裏側に存在するプリント配線や挿入実装された交直変換部品の足および半田等の電気的要素がケースベース４３に非接触となり、回路基板４１とケースベース４３との電気的に必要な絶縁が保持される。また、放熱板４５の長片部の外側面とケースベース４３の放熱板受部４３１５の内側面とが接触される。
【００２２】
そして、止ねじ４８が上方より回路基板４１の貫通孔４１１１を経由し基板支持部４３３０のねじ孔４３２９に締結される。また、止ねじ４９，５０が放熱板受部４３１５の貫通孔４３１６，４３１７より放熱板４５のベース取付孔部４５１６，４５１７に締結される。これにより、回路基板４１のプリント配線中のアース配線がケースベース４３の搭載部４３３２，４３３４及び基板支持部４３３０に確実に接続される。
【００２３】
その後、ケースカバー４４が回路基板４１に被せられる。この場合、図４のケースカバー４４の放熱板第１・第２係合部４４２４，４４２５，４４２６と図３の放熱板４５のカバー第１・第２係合部４５１３，４５１４，４５１５とが嵌合しないように、図４のケースカバー４４のリブ４４２３と図３の放熱板４５の短片部とが離隔される。けれども、図４のケースカバー４４のリブ４４２２の外側面と放熱板４５の長片部の内側面とが接触され、図３のケースカバー４４の側壁部４４１２の下縁と回路基板４１の上面とが接触される。その状態において、ケースカバー４４が図２の矢印Ｘ方向に横移動され、ケースカバー４４の放熱板第１・第２係合部４４２４，４４２５，４４２６と放熱板４５のカバー第１・第２係合部４５１３，４５１４，４５１５とが嵌合される。また、ケースカバー４４の脚部４４２１が回路基板４１の貫通孔４１１２周りに配置される。
【００２４】
それから、図３の止ねじ５１が脚部４４２１の貫通孔４４２０より回路基板４１の貫通孔４１１２を経由しケースベース４３の搭載部４３３２のねじ孔４３３１に締結される。又、止ねじ５２が回路基板４１の貫通孔４１１３よりケースベース４３の搭載部４３３４のねじ孔４３３３締結される。これによって、図５及び図６に示すように、電源装置４０が組立てられる。
【００２５】
前記のように組立てられた電源装置４０の本体枠１への取付けについて説明する。図２に示すように、先ず、電源装置４０のステー係合部４３３５，４３３６が電源ステー２１の係合孔部２６，２７に上方より嵌め込まれる。次に、止ねじ９０が電源装置４０の装置取付部４３２１，４３２３の貫通孔４３２０，４３２２よりリアプレート１０の電源取付孔部１９，２０に締結される。これによって、電源装置４０が前枠３とリアプレート１０とにわたり取付けられる。その状態においては、電源装置４０と前枠３との間には所定隙間Ｄ２が形成され、電源装置４０の無孔領域４４１７及び側壁部４４１２は下方となり、電源装置４０の放熱板４５の長片部が上方となり、放熱板４５の短片部及び側壁部４４１３は図２の紙面の表裏側で縦配置となる。
【００２６】
従って、電源装置４０が動作し、回路基板４１とケースカバー４４と放熱板４５とで囲まれた部品収納室Ａに格納された交直変換部品から発生された熱は上昇し放熱板４５に伝達されて放熱板４５より電源装置４０の外部に放熱される。上記熱の上昇により、部品収納室Ａの内部に上昇気流が発生する。この上昇気流の発生により、電源装置４０外部の冷えた空気が側壁部４４１２の空気流通孔４４１５の全部と側壁部４４１３の下半部側の空気流通孔４４１６及び天板部４４１１の下半部側の空気流通孔４４１４より部品収納部Ａに流れ込む。この流れ込んだ空気は部品収納室Ａの交直変換部品から熱を奪う。この熱を奪った暖気は、放熱板４５に衝突した後に側壁部４４１３の上半部側の空気流通孔４４１６及び天板部４４１１の上半部側の空気流通孔４４１４より電源装置４０の外部に流れ出るか、又は、放熱板４５に衝突しないで側壁部４４１３の上半部側の空気流通孔４４１６及び天板部４４１１の上半部側の空気流通孔４４１４より電源装置４０の外部に直接的に流れ出る。
【００２７】
又、発熱部品の一部である整流器６２、逆流阻止部品６３、スイッチングダイオード６５、トランジスタ６４等の半導体部品が放熱板４５に接触されたので、係る放熱部品から発生した熱が放熱板４５に直接伝達し、係る発熱部品が熱より適切に保護され電気的な性能を長期間正常に発揮できる。
【００２８】
又、前記整流器６２、逆流阻止部品６３、スイッチングダイオード６５、トランジスタ６４等の半導体部品が押え部材のばね力により放熱板４５に接触されたので、係る発熱部品から放熱板４５への熱伝達性が良好となる。
【００２９】
又、放熱板４５がアルミニウムにより形成されたので、放熱板４５は熱伝導効率が高くしかも軽量であるので、放熱板４５を経由する部品収納室Ａの内部から外部への放熱が良く、装置の軽量化も図れる。
【００３０】
要するに、この第１実施形態の構造によれば、放熱板４５がケース４２にその一部を形成するように組合されているので、前記交直変換部品から発生した熱が放熱板４５を経由して電源装置４０の外部に放出されると共に電源装置４０の外部から内部を経由して外部に流れる気流によって電源装置４０の外部に放出され、電源装置４０の放熱性能が向上する。又、電源装置４０はリアプレート１０より下方に突出する前枠３とリアプレート１０とにわたり取付けられたので、電源装置４０の設置性能が向上する。
【００３１】
特に、電源装置４０がハンドルグリップ装置の裏側において前枠３とリアプレート１０とにわたり取付けられている。この電源装置４０が取付けられた場所は、流しユニット６の両側の従来部品の取付けられていなかったデッドスペースの一方であった。そのデッドスペースを利用し、この第１実施形態では電源装置４０を取付けたので、電源装置４０の設置性能を向上することができる。
【００３２】
又、電源装置４０は前枠３の下方に取付けられたので、電源装置４０が変換する電力量が多くなって重量が重く大型化しても、前枠３に対する重量配分上有利である。つまり、前枠３では、パチンコ店の島側より補給される球を溜めるタンクが上部に配置され、遊技盤の裏部品や賞球払出機構及び制御回路装置等の多数の部品が中央部に配置されたので、電源装置４０が下部に設けられたことで、全体的な重量バランスが良くなる。
【００３３】
又、放熱板４５が回路基板４１に固定されたので、回路基板４１をケースベース４３に人為操作で組付ける際、作業者が回路基板４１に実装された交直変換部品に手を触れることなく放熱板４５を持ち回路基板４１をケースベース４３に搭載でき、交直変換部品の回路基板４１への実装姿勢が狂わされることなく正常に保たれる。
【００３４】
方形状の回路基板４１の２つの隣接する周縁に沿うように、放熱板４５が曲折形成されていると共に両側で回路基板４１に固定されたので、前記放熱板４５を持つ場合、放熱板４５が回路基板４１に対して倒れることなく正常な姿勢を適切に保たれる。
【００３５】
前記第１実施形態では流しユニット６よりも前枠３の自由端側に電源装置４０を取付けたが、電源装置４０は流しユニット６よりも前枠３の枠ヒンジ５側に存在する他方のデッドスペースに設置しても良い。
【００３６】
図７は本発明の第２実施形態の前枠３と電源装置４０との一部を破断する取付構造を示すものであって、リアプレート１０に相当するリアプレート１０１より前記電源取付孔部１９，２０を削除し、電源取付孔部１９、２０に相当する電源ステー１１０をリアプレート１０１と別体に形成し、この電源ステー１１０を前枠３の裏面に図外の止ねじで取付け、この電源ステー１１０に電源装置４０の装置取付部４３２１，４３２３を止ねじ９０で取付ければ、前枠３と電源装置４０との間の隙間Ｄ３が盤収納室Ｂの深さと無関係に設定でき、電源装置４０の設置の自由度高くなる。この場合及び第１実施形態の場合、電源装置４０のケースベース４３が前枠３と平行でなく、前枠３からの電源ステー２１の高さがリアプレート１０又は電源ステー１１０より高く設定されたり逆に低く設定され、電源装置４０が前枠３に対し傾斜しても良い。
【００３７】
図８は本発明の第３実施形態の前枠３と電源装置４０との一部を破断する取付構造を示すものであって、前記電源ステー２１を用いずに、前記リアプレート１０に相当するリアプレート１０２に電源取付孔部１９，２０と係合孔部２６とを形成し、これらの電源取付孔部１９，２０と係合孔部２６とを介して電源装置４０を前枠３の裏面に取付ければ、電源ステー２１を前枠３に取付ける手間が省ける。
【００３８】
図９は本発明の第４実施形態の放熱板４５を示すものであって、放熱板４５が内側面に針状又は柱状又は山状フィン１２０を備え、外側面に片状フィン１２１を備えれば、放熱板４５の放熱面積が増加できる。又、フィン１２１は回路基板４１とケースカバー４４の天板部４４１１との方向に延設された突条であれば、
フィン１２１が部品収納室Ａから外部に流出する空気の流れを誘導できる。又、フィン１２１は、放熱板４５の整流器６２、逆流阻止部品６３、スイッチングダイオード６５、トランジスタ６４等が接触される部分には設けなければ、係る放熱部品の放熱板４５への接触性を維持できる。更に、フィン１２１を複数設ける場合、互いに隣接するフィン１２１間の放熱板４５の内側面４５ａが仮想線示のように回路基板４１からケースカバー４４の天板部４４１１側への上傾斜面として形成されれば、係る斜面が部品収納室Ａ内部の熱気を外部に良好に流出できる。
【００３９】
図１０は本発明の第４実施形態の放熱板４５又はケース４２少なくと一方に相当する外囲体１３０を示すものであって、外囲体１３０にあけられた穴１３１がその径を部品収納室Ａから外側に行くに従って徐々に小さくする推状に形成され、穴１３１が部品収納室Ａの熱気を取込やすく取込んだ熱を外部に誘導排出しやすくしたものである。
【００４０】
図１１は本発明の第５実施形態の前枠３と電源装置４０との一部を破断する取付構造を示すものであって、電源装置４０が前記ケースベース４３を取除き回路基板４１とケースカバー４４と放熱板４５とにより構成され、前記リアプレート１０に相当するリアプレート１０３が電源取付孔部１０４，１０５と凹部１０６とを備え、前記回路基板４１とケースカバー４４と放熱板４５とからなる電源装置４０がリアプレート１０３に取付けられたものである。この場合、例えば、止ねじ９０が放熱板４５より外側に曲折形成した脚部１０７よりリアプレート１０３の電源取付孔部１０４に締結され、止ねじ５１が脚部４４２１より回路基板４１の貫通孔４１１２を経由しリアプレート１０３の電源取付孔部１０５に締結される。この状態において、凹部１０６は回路基板４１の背面のプリント配線や電気部品等とリアプレート１０３との接触を防止する。よって、電源装置４０が前記ケースベース４３を省いた簡単な構造となる。
【００４１】
第１実施形態ではケース４２が鉄系金属であったが、ケース４２もアルミニウム系金属とすれば、ケース４２の軽量化と電源装置４０の放熱性能向上との双方が両立できる。
【００４２】
前記ケースベース４３やケースカバー４４は板材に折り曲げ加工或いは絞り加工を行うことにより形成可能であるが、絞り加工によれば、ケース４２の剛性が高くなる。
【００４３】
ケースカバー４４を透視性の有る合成樹脂により形成したり、或いはケースカバー４４の天板部４４１１に大きな開口部を形成し、その開口部を透視性の有る合成樹脂により蓋をすれば、電源装置４０の外部より内部が視認可能となる。
【００４４】
更に、第１実施形態ではリアプレート１０が前枠３に止ねじで取付けられることにより前枠３との協働により盤収納室Ｂを形成する形態を例として説明したが、遊技盤を前枠３に裏面側より取付ける形態の場合には、前記リアプレート１０に相当するリアプレートを前枠にヒンジを介して開閉可能に取付け、このリアプレートに賞球払出系統の部品を組付けることも可能である。この場合、係るリアプレートは前枠に対し賞球払出系統の部品のベース部材となり、裏機構枠とか裏機構板等と呼ばれることもある。
【図面の簡単な説明】
【００４５】
【図１】第１実施形態に係る本体枠と電源装置との分解斜視図。
【図２】第１実施形態の取付構造を示す断面図。
【図３】第１実施形態の電源装置の詳細を示す分解斜視図。
【図４】図３とは異なる方向からのケースカバーを示す斜視図。
【図５】第１実施形態の組立てられた電源装置を示す斜視図。
【図６】図５とは異なる方向からの電源装置を示す斜視図。
【図７】第２実施形態の一部破断した取付構造を示す側面図。
【図８】第３実施形態の一部破断した取付構造を示す側面図。
【図９】第４実施形態の放熱板を示す断面図。
【図１０】第５実施形態の穴形状を示す断面図。
【図１１】第５実施形態の一部破断した取付構造を示す側面図。
【符号の説明】
【００４６】
１は本体枠、２は外枠、３は前枠、４；５は枠ヒンジ、６は流しユニット、７乃至９は欠番、１０はリアプレート、１１は膨出部、１２はリアフランジ部、１３は窓、１４はアウト球中継口、１５は発射戻球中継口、１６は賞球ガイド逃げ口、１７はスピーカ音放出口、１８は穴あき板、１９；２０は電源取付孔部、２１は電源ステー、２２はブラケット部、２３は横片部、２４は縦片部、２５は受片部、２６；２７は係合孔部、２８；２９は欠番、３０はロック機構、３１；３２はロックレバー、３３；３４は止具、３５は施錠装置、３６乃至３９は欠番、４０は電源装置、４１は回路基板、４２はケース、４３はケースベース、４４はケースカバー、４５は放熱板、４５ａは内側面、４６乃至５２は止ねじ、５３乃至５９は欠番、６０はトランス、６１はコンデンサ、６２は整流器、６３は逆流阻止部品、６４はトランジスタ、６５はスイッチングダイオード、６６は入力側コネクタ、６７は出力側コネクタ、６８；６９はヒューズ、７０；７１はヒューズカバー、７２乃至７９は欠番、８０は中継ユニット、８１はスナップスイッチ、８２乃至８４は中継用コネクタ、８５；８６は貫通孔、８７；８８は止ねじ、８９は欠番、９０は止ねじ、１００は欠番、１０１乃至１０３はリアプレート、１０４；１０５は電源取付孔部、１０６は凹部、１０７は脚部、１０８；１０９は欠番、１１０は電源ステー、１１１乃至１１９は欠番、１２０は山状フィン、１２１は片状フィン、１２２乃至１２９は欠番、１３０は外囲体、１３１は穴、４１１１乃至４１１３は貫通孔、４３１１は底板部、４３１２乃至４３１４はフランジ部、４３１５は放熱板受部、４３１６；４３１７は貫通孔、４３１８；４３１９は閉片部、４３２０は貫通孔、４３２１は装置取付部、４３２２は貫通孔、４３２３は装置取付部、４３２４は基板スペーサ、４３２５乃至４３２８は基板スペーサ、４３２９はねじ孔、４３３０は基板支持部、４３３１はねじ孔、４３３２は搭載部、４３３３はねじ孔、４３３４は搭載部、４３３５乃至４３３７はステー係合部、４４１１は天板部、４４１２；４４１３は側壁部、４４１４乃至４４１６は空気流通孔、４４１７は無孔領域、４４１８はユニット取付孔部、４４１９はユニット取付部、４４２０は貫通孔、４４２１は脚部、４４２２；４４２３はリブ、４４２４；４４２５は放熱板第１係合部、４４２６は放熱板第２係合部、４５１１は基板取付脚部、４５１２は基板取付脚部、４５１３；４５１４はカバー第１係合部、４５１５はカバー第２係合部、４５１６；４５１７はベース取付孔部、Ａは部品収納室、Ｂは盤収納室。
【図１】
2007111570.tif 000003
【図２】
2007111570.tif 000004
【図３】
2007111570.tif 000005
【図４】
2007111570.tif 000006
【図５】
2007111570.tif 000007
【図６】
2007111570.tif 000008
【図７】
2007111570.tif 000009
【図８】
2007111570.tif 000010
【図９】
2007111570.tif 000011
【図１０】
2007111570.tif 000012
【図１１】
2007111570.tif 000013